(57)【要約】【課題】３Ｄグラスをかけ外しすること無く、３Ｄテレビの視聴する。【解決手段】販売すべきテレビ画面11に視聴間隔をおいてスタンド13が立てられている。スタンド13に、同テレビ画面11を３Ｄグラス12を通して視聴者Aが立ち姿勢で視聴しうるように同３Ｄグラス12が保持されている。【選択図】図１
2011229106.tif 000002
【特許請求の範囲】
【請求項１】
販売すべきテレビ画面に視聴間隔をおいてスタンドが立てられており、スタンドに、同テレビ画面を３Ｄグラスを通して視聴者が立ち姿勢で視聴しうるように同３Ｄグラスが保持されている３Ｄテレビ販売促進装置。
【請求項２】
スタンドは、３Ｄグラスの高さ調節手段を備えている請求項１に記載の３Ｄテレビ販売促進装置。
【請求項３】
高さ調節手段は、３Ｄグラスが取付られているスタンドヘッドと、スタンドヘッドに上端部が連結されている垂直状可動ロッドと、可動ロッドの上端部を含む一部を上方に突出させかつ可動ロッドを昇降自在に支持しているスタンドボディとよりなる請求項２に記載の３Ｄテレビ販売促進装置。
【請求項４】
スタンドヘッドは、３Ｄグラスの首振角度調節手段を備えている請求項３に記載の３Ｄテレビ販売促進装置。
【請求項５】
スタンドヘッドは、全体を線材によって一体成形されたものであって、視聴者の額にそいうる形状に形成されているＵ字状頂部と、可動ロッドの上端部から反対方向上向きに起立するようにのびているＵ字状底部と、頂部および底部を水平方向に距離を隔てて頂部および底部の対応する両端部同士をそれぞれ連絡している一対のＬ字状中間部とよりなり、頂部の下方に３Ｄグラスが吊下られている請求項３または４に記載の３Ｄテレビ販売促進装置。
【請求項６】
スタンドボディは、箱形状に形成されかつ可動ロッドを貫通させた頂壁を有しており、頂壁から滑車が吊下られており、滑車にワイヤーがその両端を滑車から垂下させるように巻掛られており、ワイヤの一端がロッドに連結されており、ワイヤの他端にバランスウェイトが取付られている請求項３〜５のいずれか１つに記載の３Ｄテレビ販売促進装置。
【請求項７】
３Ｄグラスの斜め上方にバイザーが被覆されている請求項１〜６のいずれか１つに記載の３Ｄテレビ販売促進装置。
【発明の詳細な説明】
【技術分野】
【０００１】
この発明は、３Ｄテレビ販売促進装置に関する。
【背景技術】
【０００２】
３Ｄテレビを視聴する際は、３Ｄグラスが欠かせない。そのため、通常、テレビ画面の近くに３Ｄグラスを並べ置かれることが一般的である。視聴者は、置かれた３Ｄグラスを、手に持って、目ないし顔にかけることになる。
【０００３】
３Ｄテレビの販売促進を行うに際し、そのための会場には不特定多数の視聴者が訪れる。多数の視聴者がつぎつぎと１つの３Ｄグラスを手にしてこれと接触すると、その３Ｄグラスが汚染される可能性がある。このような衛生上の問題を解決するための何らかの対策が取られることが望まれる。
【０００４】
さらに、販売店等においてテレビを購入する際に、購入者は、多数並べられたのテレビをそれぞれ視聴し、視聴した多数のテレビの中から、気に入った１つのテレビを選択する。多数のテレビを視聴するその都度、購入者は３Ｄグラスをかけ外しすることが必要となるが、これは、購入者にとって面倒な作業である。
【発明の概要】
【発明が解決しようとする課題】
【０００５】
この発明の目的は、３Ｄグラスをかけ外しすること無く、３Ｄテレビの視聴することができ、衛生上の問題を解消し、テレビの販売促進をすることのできる３Ｄテレビ販売促進装置を提供することにある。
【課題を解決するための手段】
【０００６】
この発明による３Ｄテレビ販売促進装置は、販売すべきテレビ画面に視聴間隔をおいてスタンドが立てられており、スタンドに、同テレビ画面を３Ｄグラスを通して視聴者が立ち姿勢で視聴しうるように同３Ｄグラスが保持されているものである。
【０００７】
この発明による３Ｄテレビ販売促進装置では、スタンドに保持された３Ｄグラスを、目にかけ外しすることなく３Ｄテレビを視聴することができる。したがって、テレビの選択に際し、購入者は３Ｄグラスかけ外しの面倒な作業をする必要が無く、これは、購入者心理を、テレビを選択しようとする方向に向かわせ、テレビを選択する上で有利に作用することになる。
【０００８】
さらに、スタンドは、３Ｄグラスの高さ調節手段を備えていると、背の高い低いに係わらず、購入者の背の高さに合わせて、３Ｄグラスの高さを調整することができる。
【０００９】
また、高さ調節手段は、３Ｄグラスが取付られているスタンドヘッドと、スタンドヘッドに上端部が連結されている垂直状可動ロッドと、可動ロッドの上端部を含む一部を上方に突出させかつ可動ロッドを昇降自在に支持しているスタンドボディとよりなると、購入者が可動ロッドを手にして昇降させるだけの簡単操作によって、３Ｄグラスの高さ調整をすることができる。
【００１０】
また、スタンドヘッドは、３Ｄグラスの首振角度調節手段を備えていると、３Ｄグラスの高さに対応して、３Ｄグラスの首振角度を調整することができる。
【００１１】
また、スタンドヘッドは、全体を線材によって一体成形されたものであって、視聴者の額にそいうる形状に形成されているＵ字状頂部と、可動ロッドの上端部から反対方向上向きに起立するようにのびているＵ字状底部と、頂部および底部を水平方向に距離を隔てて頂部および底部の対応する両端部同士をそれぞれ連絡している一対のＬ字状中間部とよりなり、頂部の下方に３Ｄグラスのフロント部が吊下られていると、スタンドヘッドの成形を容易に行うことができる。さらには、テレビ画面を視聴する際に、スタンドヘッドの頂部に視聴者の額を近接させるようにすれば、３Ｄグラスを通してテレビ画面を違和感無く、視聴することができる。
【００１２】
また、スタンドボディは、箱形状に形成されかつ可動ロッドを貫通させた頂壁を有しており、頂壁から滑車が吊下られており、滑車にワイヤーがその両端を滑車から垂下させるように巻掛られており、ワイヤの一端がロッドに連結されており、ワイヤの他端にバランスウェイトが取付られていると、３Ｄグラスの高さに係わり無く、所望の高さに３Ｄグラスを静止させることができる。
【００１３】
また、３Ｄグラスの斜め上方にバイザーが被覆されていると、例えば、室内の照明等に邪魔されこと無く、テレビを視聴することができる。
【発明の効果】
【００１４】
この発明によれば、３Ｄグラスをかけ外しすること無く、３Ｄテレビの視聴することができ、衛生上の問題を解消し、テレビの販売促進をすることのできる３Ｄテレビ販売促進装置が提供される。
【図面の簡単な説明】
【００１５】
【図１】この発明による３Ｄテレビ販売促進装置の側面図である。
【図２】同３Ｄテレビ販売促進装置の３Ｄグラスの斜視図である。
【図３】同３Ｄテレビ販売促進装置のスタンドヘッドの斜視図である。
【図４】同３Ｄテレビ販売促進装置のスタンドヘッドおよび可動ロッドの連結部断面図である。
【図５】同３Ｄテレビ販売促進装置のスタンドボデイ内の垂直断面図である。
【発明を実施するための形態】
【００１６】
図１を参照すると、販売すべき３Ｄテレビ11、これを視聴するための３Ｄグラス12および３Ｄグラス12を保持しているスタンド13が示されている。テレビ11の前方に間隔をおいてスタンド13が立てられている。スタンド13の前方に視聴者Aが立っている。
【００１７】
グラス12は、図２に示すように、テレビ11の付属品に加工を施したものであって、レンズを含むフロント部21およびフロント部21を耳に掛けるための左右一対のテンプル部22よりなる。各テンプル部22の一部に除去部23を形成して、テンプル部22が短くなるように切断されている。
【００１８】
スタンド13は、グラス12が取付られているスタンドヘッド31と、スタンドヘッド31に上端部が連結されている垂直状可動ロッド32と、可動ロッド32の上端部を含む一部を上方に突出させかつ可動ロッド32を昇降自在に支持しているスタンドボディ33とよりなる。
【００１９】
スタンドヘッド31は、図３に示すように、全体を丸棒状線材によって一体成形されたものであって、視聴者Aの額にそうように形成されているＵ字状頂部41と、可動ロッド32の上端部から左右反対方向上向きに起立するようにのびているＵ字状底部42と、頂部41を底部42から前方に距離を隔てて頂部41および底部42の対応する両端部同士をそれぞれ連絡している一対のＬ字状中間部43とよりなる。
【００２０】
底部42の長さ方向中央下端部には連結耳44が垂下状に設けられている（図４参照）。中間部43の立上部に、グラス12のフロント部21を頂部41の下方に吊下げるようにグラス12のテンプル部22が取付具45を介して取付られている。
【００２１】
グラス12の斜め上方にはバイザー51が被覆されている。バイザー51は、その複数適所において、スタンドヘッド31の頂部41を主とする部分に係合固定されている。
【００２２】
可動ロッド32は、丸パイプ材よりなる。図４を参照すると、可動ロッド32の上端部には垂直板状支持片61が上方突出状に固着されている。連結耳44が支持片61に重ね合わされ、この状態で、双方が、これに一直線状に貫通させられた水平状ボルト62およびこれにねじ嵌められたナット63によって連結されている。連結耳44および支持片61間には樹脂製ワッシャ（図示略）が介在させられており、これにより、スタンドヘッド31が、ボルト62を中心として、上下方向に揺動自在となされている。
【００２３】
スタンドボディ33は、床上に置かれた水平板状ベース71中央に固着された上下方向に長い直方体箱形状のもので、平坦状頂壁72、水平断面方形状周壁73を有している。
【００２４】
スタンドボディ33内には、垂直状ガイド壁74によって仕切られたロッドチャンバ75およびウェイトチャンバ76が前後に設けられている。ロッドチャンバ75に連通させられるように頂壁72にロッド孔77があけられている。ロッド孔77には樹脂製ガイドブッシュ78を介して可動ロッド32がその長さの中程において通されている。
【００２５】
頂壁72下面にはブラケット81を介して２つの滑車82が前後に並んで取付られている。両滑車82にはワイヤー83が巻き掛けられている。ワイヤー83の両端は、両滑車82からそれぞれ垂下されられて、ロッドチャンバ75およびウェイトチャンバ76にそれぞれ入り込んでいる。
【００２６】
可動ロッド32の外面下端部近くには２つのスライド板84が上下に間隔をおいて固定されている。両スライド板84は、スタンドボディ周壁73内面の前半分およびガイド壁74の前面に摺接させられた横断面輪郭四角形の外周面を有している。両スライド板84の中間レベルのところで、ワイヤー83の一端が可動ロッド32に連結されている。ワイヤー83の他端にはカウンタウェイト85が取付けられている。カウンタウェイト85の外周面は、横断面輪郭四角形に形成されて、スタンドボディ33周壁73内面の後半分およびガイド壁74の後面に摺接させられている。
【００２７】
視聴者Aは、スタンド13の前方に立ち、可動ロッド32を手で掴んで昇降させることによって、グラス12を自分の目の高さに調節する。可動ロッド32から手を離せば、可動ロッド32はその高さで静止させられる。グラス12をのぞき込む場合、必要ならば、スタンドヘッド31を揺動させて、グラス12がテレビ11の画面と正対させられるようにグラス12の首振り角度を調節すれば良い。
【産業上の利用可能性】
【００２８】
この発明による３Ｄテレビ販売促進装置は、テレビの販売促進をすることを達成するのに適している。
【符号の説明】
【００２９】
11  テレビ画面
12  ３Ｄグラス
13  スタンド
A  視聴者
【図１】
2011229106.tif 000003
【図２】
2011229106.tif 000004
【図３】
2011229106.tif 000005
【図４】
2011229106.tif 000006
【図５】
2011229106.tif 000007